(57)【要約】【課題】利用者の黒目部分に、所定の図形を写り込ませて撮影することができるようにする。【解決手段】ＣＣＤカメラ１１による撮影時には、利用者により選択された、例えば、星形の図形やバツの図形などの所定の図形がスクリーン１３の全体に表示される。所定の図形がスクリーン１３に表示されることにより、表示されたものと同じ図形が、スクリーン１３の前方にいる利用者の目の黒目部分に映り込み、撮影結果にそれが現れる。その後、撮影結果の画像がスクリーン１３に表示され、ライトペン１４Ｌおよび１４Ｒが用いられて、表示された画像に対して編集が施される。本発明は、撮影した画像をシール紙などの印刷媒体に印刷して利用者に提供する写真シール自販機に適用することができる。【選択図】　　　図１
2004007609.tif 000002
【特許請求の範囲】
【請求項１】
被写体を撮影する撮影手段と、
前記撮影手段により撮影された前記被写体の画像を表示する表示手段と、
前記表示手段により表示された前記画像に対する編集情報を入力する入力手段と、
前記入力手段により入力された前記編集情報に基づいて前記画像を編集する編集手段と、
前記編集手段により編集された前記画像を印刷する印刷手段と
を備え、
前記表示手段は、利用者が選択した所定のマークをさらに表示し、
前記撮影手段は、前記表示手段が前記所定のマークを表示したとき、前記被写体を撮影する
ことを特徴とする画像印刷装置。
【請求項２】
前記撮影手段が撮影するとき前記被写体を照明する光は、前記表示手段の両側に設けられた照射口から照射される
ことを特徴とする請求項１に記載の画像印刷装置。
【請求項３】
前記入力手段からの前記編集情報の入力を受け付ける受付手段をさらに備え、
前記受付手段は、前記表示手段に表示された前記画像に対する前記編集情報の入力位置を、前記入力手段から、前記表示手段を介して筐体内部に入射された光を検出することにより受け付ける
ことを特徴とする請求項１または２に記載の画像印刷装置。
【請求項４】
前記撮影手段を上下左右に案内するレールをさらに備える
ことを特徴とする請求項１，２または３に記載の画像印刷装置。
【請求項５】
被写体を撮影する撮影手段と、
前記撮影手段により撮影された前記被写体の画像を表示する表示手段と、
前記表示手段により表示された前記画像に対する編集情報を入力する入力手段と、
前記入力手段により入力された前記編集情報に基づいて前記画像を編集する編集手段と、
前記編集手段により編集された前記画像を印刷する印刷手段と
を備える画像印刷装置の撮影方法において、
前記撮影手段による前記被写体の撮影は、利用者が選択した所定のマークが前記表示手段により表示されたときに行われる
ことを特徴とする撮影方法。
【発明の詳細な説明】
【０００１】
【発明の属する技術分野】
本発明は、画像印刷装置および撮影方法に関し、特に、利用者の黒目部分に、所定の図形を写り込ませて撮影する画像印刷装置および撮影方法に関する。
【０００２】
【従来の技術】
最近、利用者の画像を撮影し、これを予め用意された背景画像と合成してシール紙などに印刷して出力する画像印刷装置（例えば、プリント倶楽部（商標））が人気を博している。
【０００３】
例えば、特開２０００−６９４０４号公報には、このような画像印刷装置において、表示部に表示されている被写体の画像上に、付属のペンで、文字、図形などを書き込むことができるようにすることが提案されている。この場合、利用者は、自分自身の撮影画像上に任意の文字、マークなどを書き込んでプリント画像を作成することができる。
【０００４】
【発明が解決しようとする課題】
しかしながら、上述した公報に記載されている画像印刷装置は、画像の表示部が狭いため、多くの利用者が撮影画像を迅速に確認することが困難である課題があった。
【０００５】
本発明はこのような状況に鑑みてなされたものであり、多くの利用者が、編集情報を迅速かつ効率的に入力することができるようにするものである。また、本発明は、利用者の黒目部分に、所定の図形を写り込ませて撮影することができるようにするものである。
【０００６】
【課題を解決するための手段】
本発明の画像印刷装置は、被写体を撮影する撮影手段と、撮影手段により撮影された被写体の画像を表示する表示手段と、表示手段により表示された画像に対する編集情報を入力する入力手段と、入力手段により入力された編集情報に基づいて画像を編集する編集手段と、編集手段により編集された画像を印刷する印刷手段とを備え、表示手段は、利用者が選択した所定のマークをさらに表示し、撮影手段は、表示手段が所定のマークを表示したとき、被写体を撮影することを特徴とする。
【０００７】
撮影手段が撮影するとき前記被写体を照明する光は、表示手段の両側に設けられた照射口から照射されるようにすることができる。
【０００８】
本発明の画像印刷装置は、入力手段からの編集情報の入力を受け付ける受付手段をさらに備え、受付手段は、表示手段に表示された画像に対する編集情報の入力位置を、入力手段から、表示手段を介して筐体内部に入射された光を検出することにより受け付けるようにすることができる。
【０００９】
本発明の画像印刷装置は、撮影手段を上下左右に案内するレールをさらに備えるようにすることができる。
【００１０】
本発明の撮影方法は、被写体を撮影する撮影手段と、撮影手段により撮影された被写体の画像を表示する表示手段と、表示手段により表示された画像に対する編集情報を入力する入力手段と、入力手段により入力された編集情報に基づいて画像を編集する編集手段と、編集手段により編集された画像を印刷する印刷手段とを備える画像印刷装置の撮影方法であって、撮影手段による被写体の撮影は、利用者が選択した所定のマークが表示手段により表示されたときに行われることを特徴とする。
【００１１】
本発明の画像印刷装置および撮影方法においては、被写体が撮影され、撮影された被写体の画像が表示され、表示された画像に対する編集情報が入力される。また、入力された編集情報に基づいて画像が編集され、編集された画像が印刷される。この撮影は、利用者が選択した所定のマークが表示されたときに行われる。
【００１２】
【発明の実施の形態】
図１は、本発明を適用した画像印刷装置の外観の構成を示している。画像印刷装置１の筐体１０の正面上方には、ＣＣＤ（Ｃｈａｒｇｅ　Ｃｏｕｐｌｅｄ　Ｄｅｖｉｃｅ）カメラ１１が設けられている。利用者は、ＣＣＤカメラ１１に取り付けられているカメラ調整バー１２を手動操作することで、ＣＣＤカメラ１１の撮影角度を変更することができ、好みの角度に調整して、自らの写真（画像）を撮影する。
【００１３】
ＣＣＤカメラ１１で撮影した画像は、その下に配置されている、例えば、画面サイズが２９インチ以上のスクリーン１３に表示される。スクリーン１３は、筐体１０に内蔵されている映像用光源としての映像出力装置４１（図３）から出射された映像信号に対応する光が照射され、撮影した画像を表示する。また、スクリーン１３は、撮影手順の進行に必要な各種選択ボタンなどを表示する。
【００１４】
スクリーン１３の下方の左右には、ライトペン１４Ｌ，１４Ｒが筐体１０とケーブルで繋がれた状態で設けられており、利用者は、スクリーン１３に表示されている選択ボタンなどをライトペン１４Ｌ，１４Ｒを利用して選択することができる。また、利用者は、スクリーン１３に表示されている自分自身の画像に対して、ライトペン１４Ｌ，１４Ｒを利用し、落書きなどの画像編集を入力することができる。図１の例においては、ライトペン１４Ｌ，１４Ｒが２つ設けられており、２人の利用者が落書きなどを同時に入力することができる。
【００１５】
ライトペン１４Ｌ，１４Ｒから発せられる赤外線は、スクリーン１３を透過して筐体１０の内部に設けられている反射板４２を介して入力位置検出カメラ４５（図３）により受光され、入力位置が検出される。入力位置検出カメラ４５から入力位置の通知を受けたＣＰＵ６１（図４）は、落書き編集処理し、落書きを施した画像をスクリーン１３に表示させる。筐体１０の内部構成については、図３および図４を参照して後述する。なお、ライトペン１４Ｌ，１４Ｒには、筐体１０に設けられている突起部１０Ｌ，１０Ｒに係止することができるフック１４ＬＡ，１４ＲＡが取り付けられており、使用しない場合、図のように格納される。
【００１６】
ライトペン１４Ｌ，１４Ｒの下方に設けられているスピーカ１５Ｌ，１５Ｒは、利用者に対して、硬貨を投入してからの撮影手順を案内する音声ガイダンスや、利用者がスクリーン１３に表示されている自分自身の撮影画像に対して、後述する編集入力を入力する際の音声ガイダンスなどをステレオ方式で出力する。
【００１７】
スクリーン１３の下方右側には、硬貨投入口１６が設けられている。利用者が所定の代金を硬貨投入口１６に投入すると、撮影手順が開始される。
【００１８】
筐体１０の右側面には、シール取出口１７が設けられており、撮影し、画像編集した撮影画像が、所定数に分割されたシールに印刷されて排出される。
【００１９】
筐体１０の前方には、ケーブルを介して、カメラのズームイン機能を操作するとき操作されるズームイン用フットスイッチ１８、カメラのズームアウト機能を操作するとき操作されるズームアウト用フットスイッチ１９、およびシャッターを操作するとき操作される撮影用フットスイッチ２０が設けられており、利用者は、筐体１０から離れたところで、各種機能を足で操作することができる。なお、各フットスイッチのケーブルは、通常、床下を通って筐体１０に接続される。
【００２０】
筐体１０の上部には、図２に示すように水平前方にカーテンフレーム３１Ｌ，３１Ｒが取り付けられ、それらにカーテン３２が設けられる。カーテン３２は、外光を遮断し、良好な画像を撮影することができるようにする。また、筐体１０の前方には、筐体１０の幅（カーテンフレーム３１Ｌとカーテンフレーム３１Ｒの距離）とほぼ同一幅の２段の階段３３が設置されている。利用者は、撮影する場合、階段３３を利用して、様々なポーズを取って、自分自身を撮影することができる。また、階段３３に替えて、１段の撮影用踏台としてもよい。
【００２１】
図３（Ａ）は、筐体１０の正面を示す図であり、内部の構成を点線で示している。また、図３（Ｂ）は、筐体１０の右側面を示す図であり、図３（Ａ）と同様に、内部の構成を点線で示している。
【００２２】
映像出力装置４１が発する光画像信号（例えば、利用者が撮影した自分自身の画像）は、図３（Ｂ）に示すように、映像出力装置４１の上方に設けられ、光画像信号をスクリーン１３に向けて反射するように、所定の角度に傾斜して配置されている反射板４２により反射され、スクリーン１３に照射（投影）される。
【００２３】
映像出力装置４１の左右近傍には、撮影用光源４３Ｌ，４３Ｒが設けられており、ＣＣＤカメラ１１が撮影を行う際のフラッシュ（閃光）を発生する。撮影用光源４３Ｌ，４３Ｒからのフラッシュは、拡散板４４Ｌ，４４Ｒで拡散され、映像信号と同様に反射板４２で反射されるため、スクリーン１３の正面に位置している利用者（被写体）の全体を均一に照明することができる。
【００２４】
映像出力装置４１の奥行方向には、さらに、入力位置検出カメラ４５が設けられており、利用者がライトペン１４Ｌ，１４Ｒを操作して入力する編集入力の、スクリーン１３に表示された画像に対応する入力位置を検出する。すなわち、ライトペン１４Ｌ，１４Ｒから発せられ、スクリーン１３を透過して筐体１０の内部に入射された赤外線は、反射板４２で反射され、可視光遮断フィルタ４６を介して入力位置検出カメラ４５により受光される。なお、可視光遮断フィルタ４６は、赤外線以外の成分の光を遮断し、ライトペン１４Ｌ，１４Ｒから発せられた赤外線のみを入力位置検出カメラ４５に供給する。
【００２５】
図４は、画像印刷装置１の内部の電気的構成例を示すブロック図である。図１乃至図３と対応する部分については同一符号を付してある。
【００２６】
ＣＰＵ（Ｃｅｎｔｒａｌ　Ｐｒｏｃｅｓｓｉｎｇ　Ｕｎｉｔ）６１は、ＲＯＭ（Ｒｅａｄ　Ｏｎｌｙ　Ｍｅｍｏｒｙ）６２に記憶されているプログラムに従って、全体の動作、処理を制御する。すなわち、各処理部は、バス６０を介してＣＰＵ６１に接続され、制御される。
【００２７】
ＲＡＭ（Ｒａｎｄｏｍ　Ａｃｃｅｓｓ　Ｍｅｍｏｒｙ）６３は、ＣＰＵ６１の作業用データを記憶するとともに、各処理部において利用者が行った選択、指示などのデータを一時的に記憶する。また、ＲＡＭ６３は、内部にＣＣＤカメラ１１の撮影画像を記憶するためのフレームバッファを有する。フレームバッファは、デュアルポートメモリにより構成され、それぞれの領域が一枚分の撮影画像を記憶できる２つの領域に分けて使用される。フレームバッファの第１の領域には、ＣＣＤカメラ１１からの取り込み画像が入力され、撮影後は、撮影した画像（利用者がフレーム画像を選択した場合には、撮影画像とフレーム画像）が記憶される。
【００２８】
一方、第２の領域は、落書き処理や明るさ調整などの編集処理において使用される記憶領域であり、撮影が終了した時点では、第１の領域と同一の撮影画像が記憶される。すなわち、編集処理において、利用者がライトペン１４Ｌ，１４Ｒを利用して落書きを入力すると、その入力データが第２の領域内に書き込まれる。なお、利用者は、消しゴム処理を指定することにより、一度付加した落書きを消去し、元の画像に戻すことができる。その場合、ＲＡＭ６３は、その消しゴムで指定された部分の画像データを第１の領域から読み出し、第２の領域に書き込ことにより、利用者が消しゴムで指定した部分を、落書き処理を行う前の撮影画像に戻す。
【００２９】
ドライバ６４は、図示せぬＣＤ−ＲＯＭ（Ｃｏｍｐａｃｔ　Ｄｉｓｋ−Ｒｅａｄ　Ｏｎｌｙ　Ｍｅｍｏｒｙ）などの記録媒体を駆動し、記録情報を読み出す。ＣＤ−ＲＯＭなどの記録媒体には、撮影処理、落書き処理などを含む種々の処理を行うためのプログラムが記録されており、それらのプログラムは実行時に、ＲＡＭ６３に転送されて実行される。また、ＣＤ−ＲＯＭには、音声のガイダンスデータが記録されており、音声出力装置６８は、ＣＰＵ６１の指示に基づいてＣＤ−ＲＯＭに記録されている音声ガイダンスデータを読み出してスピーカ１５Ｌ，１５Ｒに出力する。スピーカ１５Ｌ，１５Ｒが利用者に対して出力するガイダンスには、操作方法や、撮影直前のカウントダウンなどが含まれる。
【００３０】
ズーム駆動モータ６５は、利用者がズームイン用フットスイッチ１８、または、ズームアウト用フットスイッチ１９を操作することにより入力した信号を、入力検出部７０を介して受信したＣＰＵ６１からの指示に基づいてズーム機能を駆動する。
【００３１】
硬貨処理部６６は、硬貨投入口１６から投入された硬貨の金額を検出し、所定の代金が投入されたと判定した場合、その旨をＣＰＵ６１に通知する。
【００３２】
プリンタ６７は、画像シールを作成する部分であり、ＣＣＤカメラ１１により撮影され、後述の落書き処理などが施された後の画像（プリントすべきとして確定した画像、以下、プリント画像と称する）をシール紙などに印刷し、出力する。プリンタ６７は、利用者が選択したプリント画像を、所定の分割単位で剥がせるようなシールシート上に印刷する。
【００３３】
撮影用光源駆動装置６９は、利用者の撮影用フットスイッチ２０の操作に対応するＣＰＵ６１からの指示に基づいて、ＣＣＤカメラ１１が被写体を撮影するタイミングにおいて、撮影用光源４３Ｌ，４３Ｒを駆動し、被写体にフラッシュを照射する。
【００３４】
入力検出部７０は、利用者がズームイン用フットスイッチ１８、ズームアウト用フットスイッチ１９、または、撮影用フットスイッチ２０を操作することにより入力した入力信号を検出し、ＣＰＵ６１に通知する。
【００３５】
次に、図５および図６のフローチャートを参照して、画像印刷装置の印刷処理について説明する。
【００３６】
ステップＳ１において、ＣＰＵ６１は、硬貨処理部６６からの通知に基づいて、代金が投入されたか否かを判定する。ＣＰＵ６１は、代金が投入されたと判定するまで、ドライバ６４が図示せぬＣＤ−ＲＯＭから読み出したデモ画面をスクリーン１３に表示させる。すなわち、このとき、デモ画面の画像データが映像出力装置４１に供給され、光画像信号に変換される。この光画像信号は、反射板４２で反射され、スクリーン１３に投影され、表示される。ＣＰＵ６１は、代金が投入されたと判定した場合、ステップＳ２の処理に進む。
【００３７】
ステップＳ２において、ＣＰＵ６１は、ＣＣＤカメラ１１が撮影している取り込み画像に、ドライバ６４から提供された撮影案内画面を重畳した映像信号を生成し、映像出力装置４１に供給する。この映像信号は、光画像信号に変換され、反射板４２を介してスクリーン１３に投影され、表示される。撮影案内には、ＣＣＤカメラ１１の撮影角度をカメラ調整バー１２で調整できる旨の案内、各種フットスイッチを操作してカメラ調整、撮影開始などが指示できる旨の案内などが含まれる。また、ＣＰＵ６１は、撮影案内画面を表示させるとともに、音声出力装置６８に対して、ドライバ６４から提供された音声ガイダンスを出力させることもできる。
【００３８】
ステップＳ３において、ＣＰＵ６１は、ズーム調整のフットスイッチ（ズームイン用フットスイッチ１８、またはズームアウト用フットスイッチ１９）が操作されたか否かを入力検出部７０からの通知に基づいて判定する。ＣＰＵ６１は、ズーム調整用のフットスイッチが操作されたと判定した場合、ステップＳ４の処理に進む。
【００３９】
ステップＳ４において、ＣＰＵ６１は、ステップＳ３でズームイン用フットスイッチ１８が操作されたと判定した場合、ズーム駆動モータ６５に対して、被写体にズームインすることを指示し、ズームアウト用フットスイッチ１９が操作されたと判定した場合、ズーム駆動モータ６５に対して、被写体からズームアウトすることを指示する。その後、ＣＰＵ６１は、ステップＳ２の処理に戻り、それ以降の処理を繰り返し実行する。
【００４０】
ステップＳ３において、ＣＰＵ６１は、入力検出部７０からの通知に基づいて、ズーム調整用のフットスイッチが操作されていないと判定した場合、ステップＳ５の処理に進む。
【００４１】
ステップＳ５において、ＣＰＵ６１は、入力検出部７０からの通知に基づいて、撮影用フットスイッチ２０が操作されたか否かを判定する。ＣＰＵ６１は、撮影用フットスイッチ２０が操作されていないと判定した場合、ステップＳ６の処理に進む。
【００４２】
ステップＳ６において、ＣＰＵ６１は、代金投入後、ＣＣＤカメラ１１の調整用に設けた所定時間が経過したか否かを判定する。ＣＰＵ６１は、所定時間が経過していないと判定した場合、ステップＳ２の処理に戻り、それ以降の処理を繰り返し実行する。
【００４３】
一方、ステップＳ６において、ＣＰＵ６１は、所定時間が経過したと判定した場合、ステップＳ７の処理に進む。また、ステップＳ５において、ＣＰＵ６１は、入力検出部７０からの通知に基づいて、撮影用フットスイッチ２０が操作されたと判定した場合、ステップＳ６の処理をスキップし、ステップＳ７に進む。
【００４４】
ステップＳ７において、ＣＰＵ６１は、撮影までのカウントダウンの画像（例えば、数字が所定の周期で、５，４，３，２，１と順次小さい値となる画像）をスクリーン１３に表示させるとともに、スピーカ１５Ｌ，１５Ｒから音声でカウントダウンを出力させる。
【００４５】
ステップＳ７の処理でカウントダウンの処理が終了したとき、ステップＳ８において、ＣＰＵ６１は、ＣＣＤカメラ１１に対して撮影することを指示する。それとともに、撮影用光源駆動装置６９に対して、フラッシュの発生を指示する。撮影用光源４３Ｌ，４３Ｒから出射され、拡散板４４Ｌ，４４Ｒで拡散されたフラッシュは、反射板４２Ｌ，４２Ｒで反射されてスクリーン１３を透過し、利用者に照射される。このとき、ＣＣＤカメラ１１が撮影した撮影画像データは、ＲＡＭ６３のフレームバッファの第１および第２の領域に記憶される。なお、このとき、フラッシュを効果的に被写体に照射させるため、フラッシュ発生時は、映像出力装置４１が出力する光画像信号は、全面が白色の画像とされる。白色の光画像信号に基づく照明だけで、充分な明るさを確保することができる場合には、撮影用光源４３Ｌ，４３Ｒを省略することもできる。
【００４６】
ステップＳ９において、ＣＰＵ６１は、スクリーン１３に画像確認画面を表示させる処理を実行する。すなわち、ＣＰＵ６１は、ＲＡＭ６３に記憶されている撮影画像を読み出し、映像出力装置４１で光画像信号に変換させ、スクリーン１３に表示させる。画像確認画面には、表示されている画像をプリントすることに対して、利用者に承諾を求めるための不図示の選択ボタン（例えば、「ＹＥＳボタン」、「ＮＯボタン」）が表示される。それに対して、利用者は、ライトペン１４Ｌ，１４Ｒを操作して、赤外線を発生させ、プリントするか否かを選択する。入力位置検出カメラ４５は、反射板４２で反射され、可視光遮断フィルタ４６を介して供給された赤外線から、スクリーン１３上の操作された位置を識別し、ＣＰＵ６１に通知する。
【００４７】
ステップＳ１０において、ＣＰＵ６１は、入力位置検出カメラ４５からの通知に基づいて、ステップＳ８の処理で撮影した画像をプリントすることが確認されたか否かを判定する。ＣＰＵ６１は、確認されていない（「ＮＯボタン」が選択された）と判定した場合、ステップＳ２の処理に戻り、それ以降の処理を繰り返し実行する。
【００４８】
ステップＳ１０において、ＣＰＵ６１は、画像をプリントすることが確認された（「ＹＥＳボタン」が選択された）と判定した場合、ステップＳ１１の処理に進む。
【００４９】
ステップＳ１１において、ＣＰＵ６１は、スクリーン１３に、選択した画像に対して落書き処理を行うか否かを選択するボタンを表示させる。そして、ＣＰＵ６１は、入力位置検出カメラ４５からの通知に基づいて、落書き処理が選択されたか否か（そのボタンが操作されたか否か）を判定する。
【００５０】
ステップＳ１１において、ＣＰＵ６１は、入力位置検出カメラ４５からの通知に基づいて、落書き処理を実行することが選択されたと判定した場合、ステップＳ１２の処理に進む。
【００５１】
ステップＳ１２において、ＣＰＵ６１は、落書き画面をスクリーン１３に表示させる。落書き画面には、利用者に対して、撮影画像に落書する色を選択するとき操作される「色選択ボタン」、落書きの線の太さを選択するとき操作される「太さ選択ボタン」、落書き処理を終了して、落書き編集されたプリント画像をプリントするとき操作される「プリントボタン」などが表示される（いずれも図示せず）。
【００５２】
また、ステップＳ１２において、ＣＰＵ６１は、落書き入力に基づいて画像編集処理を実行する。すなわち、ＣＰＵ６１は、ＲＡＭ６３のフレームバッファの第２の領域に記憶されている画像に対して、入力位置検出カメラ４５から通知された位置に対応する画像データを上書きする。
【００５３】
ステップＳ１３において、ＣＰＵ６１は、落書き処理のために予め設定されている所定時間が経過したか否か、または、スクリーン１３に表示されているプリントボタン（図示せず）が操作されたか否かを判定する。ＣＰＵ６１は、所定時間が経過しておらず、かつ、プリントボタンが操作されていないと判定した場合、ステップＳ１２の処理に戻り、それ以降の処理を繰り返し実行する。
【００５４】
ステップＳ１３において、ＣＰＵ６１は、所定時間が経過した、または、入力位置検出カメラ４５からの通知に基づいて、プリントボタンが操作されたと判定した場合、ステップＳ１４の処理に進む。また、ステップＳ１１において、ＣＰＵ６１は、落書き処理が選択されていないと判定した場合、ステップＳ１２，Ｓ１３の処理をスキップし、ステップＳ１４に進む。
【００５５】
ステップＳ１４において、ＣＰＵ６１は、シールシートのサイズを利用者に選択させる分割数選択画面を表示させる。利用者は、この画面から、ライトペン１４Ｌ，１４Ｒを操作することで分割数を選択する。
【００５６】
ステップＳ１５において、ＣＰＵ６１は、プリンタ６７に対して、利用者が選択した分割数のシールシートに、画像（ＲＡＭ６３のフレームバッファの第２の領域に記憶されている画像）をプリントすることを指示する。この指示に基づいてプリンタ６７によりプリントが行われ、シールシートがシール取出口１７から排出される。その後、処理はステップＳ１に戻り、それ以降の処理が繰り返し実行される。
【００５７】
以上においては、撮影用光源４３Ｌ，４３Ｒを映像出力装置４１の近傍に配置することとしたが、図７に示すように、離して配置することもできる。
【００５８】
図７に示すように、筐体１０の内部の左右後方に、撮影用光源４３Ｌ，４３Ｒ、拡散板４４Ｌ，４４Ｒ、フラッシュ反射板８２Ｌ，８２Ｒより構成されるフラッシュボックス８１Ｌ，８１Ｒが設けられる。フラッシュ反射板８２Ｌ，８２Ｒは、図７（Ａ）に示すように、筐体１０の上部に近づくにつれ、筐体１０の前方に向かって曲線を描いており、撮影用光源４３Ｌ，４３Ｒから発せられたフラッシュがスクリーン１３の全面に照射できるように構成されている。
【００５９】
図８は、本発明を適用した画像印刷装置１の他の外観の構成を示している。
【００６０】
画像印刷装置１の筐体１０の前面に設けられているスクリーン１３の両側には、フラッシュ照射口９１Ｌ，９１Ｒが設けられている。図１の画像印刷装置１において、撮影するときに照射されるフラッシュは、スクリーン１３から照射されることとしたが、図８の画像印刷装置１においては、フラッシュ照射口９１Ｌ，９１Ｒからフラッシュが照射される。
【００６１】
図９（Ａ）は、図８の画像印刷装置１の正面を、図９（Ｂ）は、図８の画像印刷装置１の右側面を、図１０は、図８の画像印刷装置１の上面を、それぞれ示す図である。図１０に示すように、フラッシュボックス８１Ｌ，８１Ｒはスクリーン１３の左右に垂直方向に配置されている。なお、フラッシュボックス８１Ｌ，８１Ｒは、図９（Ｂ）に示すように、図７（Ａ）に示すフラッシュボックス８１Ｌ，８１Ｒと同様に構成される。ただし、フラッシュ反射板８２Ｌ，８２Ｒは、フラッシュをフラッシュ照射口９１Ｌ，９１Ｒから出射するように構成されている。
【００６２】
このように、フラッシュ照射口９１をスクリーン１３の両側に設ける場合、利用者に、自分の黒目部分に様々な模様を写り込ませて、撮影させることができる。すなわち、この場合、ＣＰＵ６１は、撮影のタイミング（フラッシュが発生されるタイミング）において、ＣＣＤカメラ１１により撮影された画像に代えて、利用者が選択した特殊記号（所定のマーク）をスクリーン１３の全体に同時に表示させることにより、利用者の黒目部分に特殊記号を写り込ませ、撮影する。
【００６３】
図１１は、写り込み効果を説明する図である。図１１（Ａ）は、撮影する瞬間に、黒地に白色の星の図形をスクリーン１３の全体に大きく表示させると、利用者の黒目部分には、対応する星の図形が写り込むこと（「瞳キラキラ」）を示している。また、図１１（Ｂ）は、撮影する瞬間に、黒地に白色のバツの図形をスクリーン１３の全体に大きく表示させると、利用者の黒目部分には、対応するバツの図形が写り込むこと（「瞳キラキラ」）を示している。
【００６４】
図１２は、本発明を適用した画像印刷装置１のさらに他の外観を示す図である。
【００６５】
図１２の画像印刷装置１においては、フラッシュボックス８１Ｌ，８１Ｒが、筐体１０の左右上部に取り付けられている。これにより、利用者は、上述した写り込み効果を利用した撮影を楽しむことができる。また、筐体１０の正面の上部と下部には、スライドレール１０１Ｕ，１０１Ｄが取り付けられており、スライドレール１０１Ｖの上端と下端は、それぞれスライドレール１０１Ｕ，１０１Ｄに、スライド自在に取り付けられ、ＣＣＤカメラ１１は、スライドレール１０１Ｖにスライド自在に取り付けられている。従って、利用者は、カメラ調整バー１２を手動操作して、ＣＣＤカメラ１１を上下方向、および左右方向に移動させて、様々な角度から撮影を楽しむことができる。
【００６６】
以上においては、利用者がライトペン１４Ｌ，１４Ｒを利用して落書きを入力した場合、ライトペン１４Ｌ，１４Ｒから発せられる赤外線を、入力位置検出カメラ４５が受光し、落書き入力の位置を検出することとしたが、スクリーン１３に超音波方式のタッチパネルを積層させることによっても、落書きの入力位置を検出させることができる。超音波方式のタッチパネルの隅には、超音波発振子が取り付けられており、タッチパネルに繋がれた位置検出部は、発振子から発振された超音波が受信子に到達する時間を測定することにより落書き位置を検出する。利用者がタッチパネル上に落書きを入力した場合、その位置で、入力ペンなどにより超音波が吸収されるため、位置検出部は、弱まった超音波が受信子に到達するまでの時間を測定し、入力位置を測定する。
【００６７】
【発明の効果】
本発明によれば、利用者の黒目部分に、所定の図形を写り込ませて撮影することができる。
【図面の簡単な説明】
【図１】本発明を適用した画像印刷装置の外観の構成例を示す斜視図である。
【図２】本発明を適用した画像印刷装置の他の外観の構成例を示す斜視図である。
【図３】本発明を適用した画像印刷装置の正面および右側面の構成を示す図である。
【図４】本発明を適用した画像印刷装置の内部の電気的構成例を示すブロック図である。
【図５】本発明を適用した画像印刷装置の処理を説明するフローチャートである。
【図６】図５に続くフローチャートである。
【図７】本発明を適用した他の画像印刷装置の右側面および上面の構成を示す図である。
【図８】本発明を適用した画像印刷装置のさらに他の外観の構成例を示す斜視図である。
【図９】本発明を適用した画像印刷装置の正面および右側面の構成を示す図である。
【図１０】本発明を適用した画像印刷装置の上面の構成を示す図である。
【図１１】写り込み効果を説明する図である。
【図１２】本発明を適用した画像印刷装置の外観の構成例を示す斜視図である。
【符号の説明】
１　画像印刷装置
１０　筐体
１１　ＣＣＤカメラ
１２　カメラ調整バー
１３　スクリーン
１４Ｌ，１４Ｒ　ライトペン
１８　ズームイン用フットスイッチ
１９　ズームアウト用フットスイッチ
２０　撮影用フットスイッチ
３３　階段
４１　映像出力装置
４２　反射板
４３Ｌ，４３Ｒ　撮影用光源
４４Ｌ，４４Ｒ　拡散板
４５　入力位置検出カメラ
４６　可視光遮断フィルタ
６０　バス
６１　ＣＰＵ
６２　ＲＯＭ
６３　ＲＡＭ
６４　ドライバ
６５　ズーム駆動モータ
６９　撮影用光源駆動装置
８１Ｌ，８１Ｒ　フラッシュボックス
８２Ｌ，８２Ｒ　フラッシュ反射板
９１Ｌ，９１Ｒ　フラッシュ照射口
１０１Ｕ，１０１Ｄ，１０１Ｖ　スライドレール
【図１】
2004007609.tif 000003
【図２】
2004007609.tif 000004
【図３】
2004007609.tif 000005
【図４】
2004007609.tif 000006
【図５】
2004007609.tif 000007
【図６】
2004007609.tif 000008
【図７】
2004007609.tif 000009
【図８】
2004007609.tif 000010
【図９】
2004007609.tif 000011
【図１０】
2004007609.tif 000012
【図１１】
2004007609.tif 000013
【図１２】
2004007609.tif 000014